【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
第１の被測定者に関連する第１の生体データを取得する取得部と、
前記第１の被測定者とは異なる１以上の被測定者に関連する１以上の生体データであって、各生体データが各被測定者における疾患の発症を示す情報と関連付けられている１以上の生体データの中から、前記第１の生体データの時間経過に対する推移との類似度が第１の条件を満たす第２の被測定者に関連する第２の生体データを検索する検索部と、
前記第２の生体データに関連付けられている前記第２の被測定者における特定の疾患の発症を示す情報に基づいて、前記第１の被測定者における前記特定の疾患の発症を予測する予測部と、
前記第１の被測定者における前記特定の疾患の発症を予測する予測結果に基づいて、前記第１の被測定者に対するアドバイスを含む第１のメッセージを作成する作成部と、
前記第１のメッセージを出力する出力部と、
前記第１のメッセージの出力後における前記第１の生体データが前記第２の生体データまたは疾患の発症を示す情報と関連付けられていない第３の被測定者に関連する第３の生体データの何れに類似するのかを判断する判断部と
を備え、
前記作成部は、前記第１のメッセージの出力後における前記第１の生体データの時間経過に対する推移が前記第２の生体データまたは前記第３の生体データの何れに類似するのかを示す判断結果に応じて、前記第１の被測定者に対する異なる内容を示すアドバイスを含む第２のメッセージを作成し、
前記出力部は、前記第２のメッセージを出力する、
データ処理装置。
【請求項２】
前記検索部は、前記第１の被測定者の属性との類似度が第２の条件を満たす前記第２の被測定者に関連する前記第２の生体データを検索する、請求項１に記載のデータ処理装置。
【請求項３】
前記作成部は、前記アドバイスとして前記第２の被測定者の生活習慣に基づく情報を含む前記第１のメッセージを作成する、請求項１に記載のデータ処理装置。
【請求項４】
前記出力部は、医療関係者による前記第１のメッセージの出力の許可を示す指示に基づいて、前記第１のメッセージを出力する、請求項１に記載のデータ処理装置。
【請求項５】
前記作成部は、前記第１のメッセージの出力後における前記第１の生体データの時間経過に対する推移が前記第３の生体データに類似すると判断した場合に、前記特定の疾患を発症する可能性が低くなったことを示すアドバイスを含む前記第２のメッセージを作成する、請求項１に記載のデータ処理装置。
【請求項６】
第１の被測定者に関連する第１の生体データを取得する取得過程と、
前記第１の被測定者とは異なる１以上の被測定者に関連する１以上の生体データであって、各生体データが各被測定者における疾患の発症を示す情報と関連付けられている１以上の生体データの中から、前記第１の生体データの時間経過に対する推移との類似度が第１の条件を満たす第２の被測定者に関連する第２の生体データを検索する検索過程と、
前記第２の生体データに関連付けられている前記第２の被測定者における特定の疾患の発症を示す情報に基づいて、前記第１の被測定者における前記特定の疾患の発症を予測する予測過程と、
前記第１の被測定者における前記特定の疾患の発症を予測する予測結果に基づいて、前記第１の被測定者に対するアドバイスを含む第１のメッセージを作成する作成過程と、
前記第１のメッセージを出力する出力過程と、
前記第１のメッセージの出力後における前記第１の生体データが前記第２の生体データまたは疾患の発症を示す情報と関連付けられていない第３の被測定者に関連する第３の生体データの何れに類似するのかを判断する判断過程と
を備え、
前記作成過程は、前記第１のメッセージの出力後における前記第１の生体データの時間経過に対する推移が前記第２の生体データまたは前記第３の生体データの何れに類似するのかを示す判断結果に応じて、前記第１の被測定者に対する異なる内容を示すアドバイスを含む第２のメッセージを作成し、
前記出力過程は、前記第２のメッセージを出力する、
データ処理方法。
【請求項７】
請求項１から５のうちの何れか１項に記載のデータ処理装置が備える各部としてコンピュータを機能させるデータ処理プログラム。
【手続補正２】
【補正対象書類名】明細書
【補正対象項目名】００２８
【補正方法】変更
【補正の内容】
【００２８】
検索部Ｓ２は、第１の血圧データの時間経過に対する推移との類似度が第１の条件を満たし、第１の被測定者とは異なる第２の被測定者に関連する第２の血圧データを検索する。
【手続補正３】
【補正対象書類名】明細書
【補正対象項目名】００３３
【補正方法】変更
【補正の内容】
【００３３】
サーバ１は、対象者における疾患の発症を予測する。  
サーバ１は、対象データを記憶する。対象データは、対象者に関連する血圧データである。以下では、対象者を第１の被測定者ともいう。対象データを第１の血圧データともいう。  
サーバ１は、１以上の第１の参照データを記憶する。１以上の第１の参照データは、第１の被測定者とは異なる１以上の被測定者に関連する血圧データである。１以上の第１の参照データのそれぞれは、各被測定者における疾患の発症を示す情報と関連付けられている。疾患の発症を示す情報は、医師の診断結果に基づいている。
【手続補正４】
【補正対象書類名】明細書
【補正対象項目名】００４０
【補正方法】変更
【補正の内容】
【００４０】
制御部１１は、サーバ１の各部の動作を制御する。制御部１１は、ＣＰＵ（Ｃｅｎｔｒａｌ  Ｐｒｏｃｅｓｓｉｎｇ  Ｕｎｉｔ）１１１、ＲＯＭ（Ｒｅａｄ  Ｏｎｌｙ  Ｍｅｍｏｒｙ）１１２、ＲＡＭ（Ｒａｎｄｏｍ  Ａｃｃｅｓｓ  Ｍｅｍｏｒｙ）１１３などを含む。ＣＰＵ１１１は、プロセッサの一例である。ＣＰＵ１１１は、記憶部１２に記憶されたサーバ１を機能させるためのプログラムをＲＡＭ１１３に展開する。そして、ＣＰＵ１１１がＲＡＭ１１３に展開されたプログラムを解釈及び実行することで、制御部１１は、ソフトウェア構成の項目において説明される各部を実行可能である。
【手続補正５】
【補正対象書類名】明細書
【補正対象項目名】００７６
【補正方法】変更
【補正の内容】
【００７６】
なお、ステップＳ１０６では、出力部１１０５は、医師による第１のメッセージの出力の許可を示す指示に基づいて、第１のメッセージを出力してもよい。この場合、サーバ１は、第１のメッセージの出力の許可を求めるメッセージを情報処理端末４へ送信する。医師は、第１のメッセージの出力の許可を示す指示を情報処理端末４に入力する。情報処理端末４は、第１のメッセージの出力の許可を示す指示をサーバ１へ出力する。サーバ１は、第１のメッセージの出力の許可を示す指示の受信に基づいて、第１のメッセージを出力する。これにより、サーバ１は、医師の許可なく、第１のメッセージを第１の被測定者へ提示することはない。なお、第１のメッセージの出力の許可は、医師の許可に限定されない。第１のメッセージの出力の許可は、第１のメッセージに含まれる内容によっては、看護師及び保健師などの医療関係者の許可であってもよい。
【手続補正６】
【補正対象書類名】明細書
【補正対象項目名】００９４
【補正方法】変更
【補正の内容】
【００９４】
記憶部１２は、第１の管理テーブルに加えて、第２の管理テーブルを記憶する。第２の管理テーブルは、各第２の参照データに関連付けられている被測定者に関する情報を管理する。第２の管理テーブルの構成例については後述する。
【手続補正７】
【補正対象書類名】明細書
【補正対象項目名】０１０８
【補正方法】変更
【補正の内容】
【０１０８】
次に、判断部１１０６は、第３の血圧データとなる第２の参照データを記憶部１２から取得する。例えば、判断部１１０６は、第２の管理テーブルの出力履歴を示す情報を参照して、第２の血圧データである参照データＢと関連付けられている参照データＦを第３の血圧データとして記憶部１２から取得する。
【手続補正８】
【補正対象書類名】明細書
【補正対象項目名】０１１２
【補正方法】変更
【補正の内容】
【０１１２】
判断部１１０６は、上述のように、第１のメッセージの出力後における第１の血圧データが第２の血圧データまたは第３の血圧データの何れに類似するのかを判断する（ステップＳ２０２）。